(57)【要約】【課題】  望遠鏡及び拡大鏡としての機能をさせることが可能な筆記具用飾り具を提供する。【解決手段】  筆記具の軸端部に嵌まるキャップ部２０と、当該キャップ部に水平に挿入した凹レンズを有する接眼部３０と、キャップ部の上端に回動可能に軸支された左右の腕部４０を介して保持される凸レンズを有する対物部５０とで構成され、腕部を左右に回動させて、対物部と接眼部の光軸を合わせることで望遠鏡として機能し、腕部をキャップ部の軸方向に立てることで対物部を拡大鏡として機能する。【選択図】    図１
0003160124.tif 000002
【実用新案登録請求の範囲】
【請求項１】
筆記具の軸端部に嵌まるキャップ部と、当該キャップ部に水平に挿入した凹レンズを有する接眼部と、前記キャップ部の上端に回動可能に軸支された左右の腕部を介して保持される凸レンズを有する対物部とで構成され、
前記腕部を左右に回動させて、前記対物部と接眼部の光軸を合わせることで望遠鏡として機能し、
前記腕部を前記キャップ部の軸方向に立てることで前記対物部を拡大鏡として機能する筆記具用飾り具を取り付けたことを特徴とする筆記具。
【請求項２】
前記接眼部を、前記キャップ部内で左右にスライド可能に設けたことを特徴とする請求項１に記載の筆記具。
【請求項３】
筆記具の軸端部に嵌まるキャップ部と、当該キャップ部に水平に挿入した凹レンズを有する接眼部と、前記キャップ部の上端に回動可能に軸支された左右の腕部を介して保持される凸レンズを有する対物部とで構成され、
前記腕部を左右に回動させて、前記対物部と接眼部の光軸を合わせることで望遠鏡として機能し、
前記腕部を前記キャップ部の軸方向に立てることで前記対物部を拡大鏡として機能することを特徴とする筆記具用飾り具。
【請求項４】
前記接眼部を、前記キャップ部内で左右にスライド可能に設けたことを特徴とする請求項３に記載の筆記具用飾り具。
【考案の詳細な説明】
【技術分野】
【０００１】
本考案は、筆記具に取り付ける筆記具用飾り具及び筆記具に関する。
【背景技術】
【０００２】
鉛筆、ボールペン、シャープペンシル、万年筆等の筆記具には、ペン先を保護する目的でキャップが用いられている。また、装飾の目的で筆記具の上端部に取り付ける様々な飾りが提案されている。
例えば、特許文献１には、筆記具の上端部に取り付ける飾りキャップであって、使用中に使用者の心を癒すデザインの飾りキャップが記載されている。
【先行技術文献】
【特許文献】
【０００３】
【特許文献１】実用新案登録第３１１４７６３号
【考案の概要】
【考案が解決しようとする課題】
【０００４】
特許文献１に開示されるように、これまで筆記具に取り付けられるキャップや飾りは、ペン先の保護又は美的な装飾が目的で提供されるものが殆どであり、筆記以外の他の機能を提供するものは存在していない。
（考案の目的）
本考案の目的は、上記従来の課題を解決するためになされたものであり、望遠鏡及び拡大鏡としての機能をさせることが可能な筆記具用飾り具及び筆記具を提供することにある。
【課題を解決するための手段】
【０００５】
上記の目的を達成する本考案の筆記具は、筆記具の軸端部に嵌まるキャップ部と、当該キャップ部に水平に挿入した凹レンズを有する接眼部と、前記キャップ部の上端に回動可能に軸支された左右の腕部を介して保持される凸レンズを有する対物部とで構成され、前記腕部を左右に回動させて、前記対物部と接眼部の光軸を合わせることで望遠鏡として機能し、前記腕部を前記キャップ部の軸方向に立てることで前記対物部を拡大鏡として機能する筆記具用飾り具を取り付けたことを特徴とする。
【０００６】
上記の目的を達成する本考案の筆記具用飾り具は、筆記具の軸端部に嵌まるキャップ部と、当該キャップ部に水平に挿入した凹レンズを有する接眼部と、前記キャップ部の上端に回動可能に軸支された左右の腕部を介して保持される凸レンズを有する対物部とで構成され、前記腕部を左右に回動させて、前記対物部と接眼部の光軸を合わせることで望遠鏡として機能し、前記腕部を前記キャップ部の軸方向に立てることで前記対物部を拡大鏡として機能することを特徴とする。
【考案の効果】
【０００７】
以上説明したように本考案によれば、筆記具の飾りとして機能だけでなく、望遠鏡及び拡大鏡としての機能をさせることができる。
【図面の簡単な説明】
【０００８】
【図１】本考案の実施の形態による筆記具用飾り具の正面図である。
【図２】本考案の実施の形態による筆記具用飾り具の側面図である。
【図３】本考案の実施の形態による筆記具用飾り具の接眼部の構造を示す図である。
【図４】本考案の実施の形態による筆記具用飾り具の腕部と対物部の動きを説明する図である。
【図５】本考案の実施の形態による筆記具用飾り具を望遠鏡として機能させた状態を示す図である。
【図６】本考案の実施の形態による筆記具用飾り具を拡大鏡として機能させた状態を示す図である。
【考案を実施するための形態】
【０００９】
以下、本考案の実施の形態について図面を参照して詳細に説明する。本考案の実施の形態による筆記具用飾り具１０の正面図と側面図をそれぞれ図１、図２に示す。
【００１０】
（実施の形態の構成）
図１、図２において、本実施の形態による筆記具用飾り具１０は、筆記具の上端部又は先端部に被せることで筆記具に取り付けられるキャップ部２０と、キャップ部２０の上部に設けられた水平の貫通孔にスライド可能に挿入した接眼部３０と、キャップ部２０に腕部４０、４０を介して取り付けられた対物部５０を備えて構成される。
【００１１】
キャップ部２０は、合成樹脂等の材料により円筒または中空の四角柱形状に形成されており、図５、図６に示すように、筆記具６０の上端部に被せて取り付けることができる。図５、図６では、筆記具６０の上端部に被せた例を示しているが、上端部から取り外して筆記具６０の先端部（ペン側）に被せて取り付けることも可能である。また、筆記具６０の上端部に一体的に固定して取り付けてもよい。
【００１２】
キャップ部２０の上部には、キャップ部２０の長さ方向と直交する向き（水平方向）に貫通孔２１が設けられており、この貫通孔２１に接眼部３０をスライド可能に挿入してある。
【００１３】
接眼部３０は、図３に示すように、合成樹脂等の材料によって貫通孔２１に適度なきつさで挿入できる円筒形状に形成された接眼筒３１内の中央部分に、凹レンズ３２を嵌めて構成されている。
【００１４】
また、キャップ部２０には、図示のような一対の腕部４０、４０が回動可能に取り付けられている。この腕部４０、４０は、合成樹脂等の材料によって形成されており、その一方の端部を軸部４１でキャップ部２０に軸支され、その軸部４１を中心に回動させることができる。
【００１５】
また、腕部４０、４０の他方の端部には、対物部５０が腕部４０、４０で挟まれた形で回転可能に取り付けられている。この対物部５０は、合成樹脂等の材料によってリング形状に形成された対物枠５１内に凸レンズ５２を嵌めて構成されている。凸レンズ５２は、対物枠５１の厚み方向中央に位置するように嵌められている。
【００１６】
対物部５０は、その対物枠５１の直径位置の両側を腕部４０、４０に軸部４２で軸支されており、腕部４０、４０間で軸部４２を中心に回転させることが可能である。
【００１７】
（実施の形態の動作）
次に、上記のように構成される筆記具用飾り具１０の動作について図４から図６を参照して説明する。
【００１８】
図５は、筆記具用飾り具１０を筆記具６０の上端部に取り付けた状態を示している。
筆記具用飾り具１０を望遠鏡として機能させる場合には、腕部４０、４０をキャップ部２０に対して直交位させ、かつ対物部５０を図示のように腕部４０，４０に対して直交させる。これにより、接眼部３０の前面に対物部５０が位置するので、接眼部３０の凹レンズ３２と対物部５０の凸レンズ５２の組み合わせた望遠鏡として使用することが可能とする。
【００１９】
対物部５０を遠景等に向けて接眼部３０側から覗くことで、所定倍率で拡大して景色を観ることができる。なお、望遠鏡として機能させる際の倍率については、対物部５０の凸レンズ５２の焦点距離と接眼部３０の凹レンズ３２の焦点距離を変えて選択することで所望の倍率とすることが可能である。
【００２０】
また、凹レンズ３２を接眼筒３１の中央部分に位置させ、凸レンズ５２を対物枠５１の中央部分に位置させたことにより、図４に示すように、対物部５０を回動させてキャップ部２０の左右どちらに位置させても、凹レンズ３２と凸レンズ５２の間隔が同じとなるので、ピントが狂うことはない。
【００２１】
なお、対物部５０と接眼部３０の間隔は、健常視力を基準にピントが合うように決めてあるため、利用者の視力によってそのままではピントが合いにくい場合がある。その場合は、キャップ部２０に対して接眼部３０を前後にスライドさせることでピントを合わせることが可能である。
【００２２】
筆記具用飾り具１０を拡大鏡として機能させる場合には、図６に示すように、腕部４０、４０を回動させてキャップ部２０の長さ方向を向くように位置させ、かつ対物部５０を図示のように腕部４０，４０と同じ向きとする。これにより、対物部５０がキャップ部２０の上部に位置するので、対物部５０の凸レンズ５２を拡大鏡として使用することが可能とする。
【００２３】
筆記具６０による筆記を行いながら、細かな物（小さな文字等）を見る必要が生じた場合には、上記のように対物部５０の凸レンズ５２によって拡大して確認することが可能となる。
【００２４】
なお、本考案は上述した実施の形態に限定されるものではなく、その技術思想の範囲内において様々に変形して実施することができる。
上記実施の形態の説明では、筆記具用飾り具１０を筆記具６０に取り付けて使用する例を示したが、筆記具用飾り具１０を筆記具６０から取り外して単独で望遠鏡又は拡大鏡として用いることも可能である。
【符号の説明】
【００２５】
１０：飾り具
２０：キャップ部
２１：貫通孔
３０：接眼部
３１：接眼筒
３２：凹レンズ
４０：腕部
５０：対物部
５１：対物枠
５２：凸レンズ
６０：筆記具
【図１】
0003160124.tif 000003
【図２】
0003160124.tif 000004
【図３】
0003160124.tif 000005
【図４】
0003160124.tif 000006
【図５】
0003160124.tif 000007
【図６】
0003160124.tif 000008